(57)【要約】【課題】害虫を殺虫剤に依らずに、塗膜により包み込んで死滅させ駆除する。【解決手段】飛んでいる蜂５に向けて、ボンベ１のノズル１Ｎからビニルプラスチゾル（可剥性塗料）１を吹き付けて、蜂５をこのビニルプラスチゾル１の塗膜で包み込み、呼吸できなくすると共に動けなくして死滅させる。【選択図】　図１
2004008124.tif 000002
【特許請求の範囲】
【請求項１】
害虫（５；８；１２；１５）をストリッパブルコーティング（１）により包み込み、死滅させることを特徴とする、害虫駆除方法。
【請求項２】
害虫（５；８；１２；１５）の巣（４）、もしくはその生息穴（１４）にストリッパブルコーティング（１）を装填して、その害虫（５；８；１２；１５）をストリッパブルコーティング（１）により封じ込めて死滅させることを特徴とする、害虫駆除方法。
【請求項３】
前記ストリッパブルコーティング（１）内に殺虫剤を混入することを特徴とする、前記請求項１、または２記載の害虫駆除方法。
【請求項４】
前記ストリッパブルコーティング（１）内に顔料を混入して着色することを特徴とする、前記請求項１，２または３記載の害虫駆除方法。
【発明の詳細な説明】
【０００１】
【発明の属する技術分野】
本発明は、害虫の駆除方法に関する。
【０００２】
【従来の技術】
従来、ビニルプラスチゾル，エチルセルロース、合成ゴム系ラテックス等のストリッパブルコーティング（可剥性塗料）は、既に知られている〔図書、「プラスチック大辞典」株式会社工業調査会発行〕。
【０００３】
【発明が解決しようとする課題】
そして、前記ストリッパブルコーティングは、通常は、工場などで生産した完成品を、その輸送および貯蔵中の摩耗や腐食から保護するために、その完成品に一時的に塗布する塗料で、必要なときに完成品を傷付けることなく剥ぎ取ることができるものであり、完成品の材質、形状などにより、浸漬、吹付、ロール塗布などにより完成品の表面に塗着されるものである。
【０００４】
ところで、本発明は、このストリッパブルコーティングが、
▲１▼塗着後の塗膜に気密性があって、エアの流通を遮断すること、
▲２▼人畜に無害であること、
▲３▼可剥性があり、塗着後の剥離が容易であり、塗着されるものに傷を付けないこと、
の特性をもつことに着目して、このストリッパブルコーティングを利用して害虫の駆除を簡単、容易に、しかも安全に行なうことができるようにした、新規な害虫駆除方法を提供することを目的とする。
【０００５】
【課題を解決するための手段】
前記目的を達成するために、請求項１記載の発明は、害虫をストリッパブルコーティングにより包み込み、死滅させることを特徴としており、かかる特徴によれば、害虫を殺虫剤を用いることなく簡単に駆除することができ、しかも殺虫剤が周囲に飛散することがないので、人畜に無害であり、さらに害虫のいる場所に散乱したストリッパブルコーティングの塗膜は、そこから簡単に剥離することができて、その後の処理が容易であり、しかもその塗着面を傷付けるおそれがない。
【０００６】
また、前記目的を達成するため、請求項２記載の発明は、害虫の巣、もしくはその生息穴にストリッパブルコーティングを装填して、その害虫をストリッパブルコーティングにより封じ込めて死滅させることを特徴としており、かかる特徴によれば、害虫をその巣や生息穴に封じ込めて死滅させることができ、また、殺虫剤などの有害物質は、その巣や生息穴の周囲に飛散することがないので、人畜に無害であり、さらにストリッパブルコーティングの塗膜は、その巣や生息穴から簡単に剥離することができて、その後の処理が容易である。
【０００７】
さらに、前記目的を達成するため、請求項３記載の発明は、前記請求項１または２記載の発明において、前記ストリッパブルコーティング内に殺虫剤を混入することを特徴としており、かかる特徴によれば、前記請求項１または２記載の発明の効果に加えて、殺虫剤により、害虫を一層迅速、確実に死滅させることができ、しかも殺虫剤はストリッパブルコーティング内に混入されることにより、それ自体が直接周囲に飛散することなく、その後に硬化するので、人畜に対する殺虫剤による害は殆どない。
【０００８】
さらにまた、前記目的を達成するため、請求項４記載の発明は、前記請求項１，２または３記載の発明において、前記ストリッパブルコーティング内に顔料を混入して着色することを特徴としており、かかる特徴によれば、前記請求項１，２または３記載の発明の効果に加えて、ストリッパブルコーティングのの用途、強度、膜厚、乾燥度などに応じて、ストリッパブルコーティングに顔料を混入して複数の色に着色することにより、その使用目的に応じたストリッパブルコーティングの使い分けが容易になる。また、ビニルプラスチゾルは、その塗着面との色分けができるので、その剥離作業が一層容易になる。
【０００９】
【発明の実施例の形態】
以下、本発明の実施の形態を、添付図面に示した本発明の実施例に基づいて説明する。
【００１０】
まず、図１〜３を参照して本発明の第１実施例について説明するに、この実施例は、本発明害虫駆除方法を、蜂の駆除に適用した場合であり、図１は、蜂および蜂の巣に、ストリッパブルコーティングを吹き付けている状態を示す図、図２は、蜂の巣の出入口をストリッパブルコーティングにより封緘した状態を示す図、図３は、蜂をストリッパブルコーティングの塗膜により包み込んだ状態を示す図である。
【００１１】
図１に示すように、携帯用ボンベ２内には、ストリッパブルコーティング（通称ストリップペイント）としてのビニルプラスチゾル１が蓄圧貯蔵される。ボンベ２のノズル２Ｎを蜂の巣４およびその周りを飛翔する蜂５に向けて、そのボンベ２の押釦２Ｂを押圧すれば、該ボンベ２の弁が開弁して蓄圧状態のビニルプラスチゾル１はノズル２Ｎより霧状となって噴出し、蜂の巣４の周りを飛翔する蜂５および該蜂の巣４の外周面の全域にわたって吹き付けられ、その後しばらくして該ビニルプラスチゾル１が乾燥硬化すれば、図３に示すように、蜂５は、硬化したビニルプラスチゾル１の塗膜１Ｆにより全体が包み込まれて目、口、鼻などの感覚器が塞がれて呼吸困難に、また羽や足が硬化して移動できなくなり死滅させることができ、また乾燥硬化したビニルプラスチゾル１に包みこまれた蜂５は、その場から簡単に剥離して廃棄処分することができる。また、図２に示すように、蜂の巣は、その外周全域が乾燥硬化したビニルプラスチゾル１の塗膜により包み込まれ、しかも蜂の巣４の内部にビニルプラスチゾル１が装填されると共にその出入口４Ｅは、ビニルプラスチゾル１の塗膜１Ｆにより気密に封緘される。したがって、蜂の巣４内にいる蜂５も呼吸困難となり、死滅させることができる。そして、硬化したビニルプラスチゾル１の塗膜１Ｆにより全体を包み込まれた蜂の巣４は、その支持部６から簡単、容易に離脱させることができる。また、ストリッパブルコーティングであるビニルプラスチゾル１は、可剥性に優れていることから、これを蜂の巣４から容易に剥がすことができ、該蜂の巣４を傷付けずに、その爾後処理をすることができる。
【００１２】
図４，５には、本発明の第２実施例が示される。この第２実施例は、本発明害虫駆除方法により、ゴキブリ８を死滅させる場合であり、図４は床９上を走るゴキブリ８にビニルプラスチゾル１を噴霧している状態を示す図、図５は、ゴキブリ８がビニルプラスチゾル１の塗膜１Ｆにより包み込まれた状態を示す図である。
【００１３】
図４に示すように、ボンベ２のノズル２Ｎをゴキブリに向けて、そのボンベ２の押釦２Ｂを押圧すれば、ビニルプラスチゾル１はノズル２Ｎより霧状となって噴出し、床９上を走るゴキブリ８に吹き付けられ、しばらくして該ビニルプラスチゾル１が乾燥硬化すれば、図５に示すように、ゴキブリ８は、硬化したビニルプラスチゾル１の塗膜１Ｆにより全体が包み込まれて目、鼻、口が塞がれて呼吸困難となり、また羽や足が硬化して動けなくなり、死滅させることができる。また、図５に示すように、床９に吹き付けられたビニルプラスチゾル１は、可剥性に優れていることから、ビニルプラスチゾル１の塗膜１Ｆにより包み込まれて死滅したゴキブリ８は、床９を傷付けることなく、図５鎖線に示すように、そこから簡単に取り除くことができ、また、ゴキブリ８の周囲の床９上に散乱して塗着したビニルプラスチゾル１の塗膜１Ｆも、床９を傷付けることなく、そこから簡単に剥離して取り除くことができる。
【００１４】
図６，７には、本発明の第３実施例が示される。この第３実施例は、本発明害虫駆除方法により、青虫などの農業害虫１２を死滅させる場合であり、図６は、木の葉片１１に止まる農業害虫１２にビニルプラスチゾル１を噴霧している状態を示す図、図７は、農業害虫１２がビニルプラスチゾル１の塗膜１Ｆにより包み込まれた状態を示す図である。
【００１５】
図６に示すように、ボンベ２のノズル２Ｎを農業害虫１２に向けて、そのボンベ２の押釦２Ｂを押圧すれば、ビニルプラスチゾル１はノズル２Ｎより霧状となって噴出し、木の葉片１１に止まる農業害虫１２に吹き付けられ、しばらくして該ビニルプラスチゾル１が乾燥硬化すれば、図７に示すように、農業青虫１２は、硬化したビニルプラスチゾル１の塗膜１Ｆにより全体が包み込まれて目、鼻、口が塞がれて呼吸困難となり、また足が硬化して動けなくなり、死滅させることができる。そして、農業害虫１２の死滅後は、これだけを葉片１１より剥離して取り除いてもよく、また、図７に鎖線で示すように、死滅した農業害虫１２を葉片１１ごと取り除くようにしてもよい。
【００１６】
図８，９には、本発明の第４実施例が示される。この第４実施例は、本発明害虫駆除方法により、松くい虫などの林業害虫１５を死滅させる場合であり、図８は、木の穴１４に生息する林業害虫１５にビニルプラスチゾル１を噴霧している状態を示す図、図９は、林業害虫１５がビニルプラスチゾル１の塗膜１Ｆにより封じ込まれた状態を示す図である。図８に示すように、樹木の幹や枝に生息穴１４をあけ、その穴１４内で、生息する林業害虫１５に対しては、図８に示すように、ボンベ２のノズル２Ｎに接続したノズルパイプ２Ｐをその生息穴１４に挿入して、そのボンベ２の押釦２Ｂを押圧すれば、ビニルプラスチゾル１は、ノズル２Ｎより霧状となって生息穴１４内に噴入して、その穴１４内の林業害虫１５を封じ込めると共に該穴１４内に充填されて、その林業害虫を生息穴１４内で死滅させることができる。その後、生息穴１４の出入口１４Ｅは、図９に示すように、ビニルプラスチゾル１自体で封緘してもよく、また、木、竹、コルクなどよりなる栓体により封緘してもよい。
【００１７】
前記第１〜４実施例において、ビニルプラスチゾル１内に、適宜の殺虫剤を混入させるようにすれば、ビニルプラスチゾル１に包み込まれた害虫の死滅を早めることができ、またその死滅を一層確実なものとすることができる。
【００１８】
また、前記第１〜４実施例において、ビニルプラスチゾル１の用途、強度、膜厚、乾燥度などに応じて、ビニルプラスチゾル１に顔料を混入して複数の色に着色しておけば、その使用目的に応じたビニルプラスチゾル１の使い分けが容易になる。また、ビニルプラスチゾル１は着色することにより、その塗着面との色分けができるので、その剥離作業が容易になる。
【００１９】
以上、本発明の実施例について説明したが、本発明はその実施例に限定されることなく、本発明の範囲内で種々の実施例が可能である。
【００２０】
たとえば、前記第１〜４実施例では、ストリッパブルコーティングとしてビニルプラスチゾルを用いた場合を説明したが、これに代えてエチルセルロース、合成ゴム系ラテックスなどの他のストリッパブルコーティングを使用しても良いことは勿論であり、さらに前記第１〜４実施例以外の害虫の死滅にも利用できることは勿論である。
【００２１】
【発明の効果】
以上のように、請求項１記載の発明によれば、害虫を殺虫剤を用いることなく簡単に駆除することができ、しかも殺虫剤を使用しないことから、人畜に無害であり、さらに害虫の周囲の塗着面に散乱したストリッパブルコーティングの塗膜は、そこから簡単に剥離することができて、その後処理が容易であり、しかもその塗着面を傷付けるおそれがない。
【００２２】
また、請求項２記載の発明によれば、害虫をその巣や生息穴に封じ込めて死滅させることができ、また、殺虫剤などの有害物質が、その巣や生息穴の周囲に飛散することがないので、人畜に無害であり、さらにストリッパブルコーティングの塗膜は、その巣や生息穴から簡単に剥離することができて、その後処理が容易である。
【００２３】
さらに、請求項３記載の発明によれば、前記請求項１または２記載の発明の効果に加えて、殺虫剤により、害虫を一層迅速、確実に死滅させることができ、しかも殺虫剤はストリッパブルコーティング内に混入されることにより、それ自体が直接周囲に飛散することなく、その後に硬化するので、人畜に対する殺虫剤による害は殆どない。
【００２４】
さらにまた、請求項４記載の発明によれば、前記請求項１，２または３記載の発明の効果に加えて、ストリッパブルコーティングの用途、強度、膜厚、乾燥度などに応じて、ストリッパブルコーティングに顔料を混入して複数の色に着色することにより、その使用目的に応じたストリッパブルコーティングの使い分けが容易になる。また、ビニルプラスチゾル１は、その塗着面との色分けができるので、その剥離作業が一層容易になる。
【図面の簡単な説明】
【図１】蜂および蜂の巣に、ストリッパブルコーティングを吹き付けている状態を示す図（第１実施例）
【図２】蜂の巣の出入口をストリッパブルコーティングにより封緘した状態を示す図（第１実施例）
【図３】蜂をストリッパブルコーティングの塗膜により包み込んだ状態を示す図（第１実施例）
【図４】床上を走るゴキブリにビニルプラスチゾルを噴霧している状態を示す図（第２実施例）
【図５】ゴキブリがビニルプラスチゾルの塗膜により包み込まれた状態を示す図（第２実施例）
【図６】木の葉片に止まる農業害虫にビニルプラスチゾルを噴霧している状態を示す図（第３実施例）
【図７】農業害虫がビニルプラスチゾルの塗膜により包み込まれた状態を示す図（第３実施例）
【図８】木の穴に生息する林業害虫にビニルプラスチゾルを噴霧している状態を示す図（第４実施例）
【図９】林業害虫がビニルプラスチゾルの塗膜により封じ込まれた状態を示す図（第４実施例）
【符号の説明】
１　　　　　　ストリッパブルコーティングとしてのビニルプラスチゾル
５　　　　　　害虫としての蜂
８　　　　　　害虫としてのゴキブリ
１２　　　　　害虫としての農業害虫
１４　　　　　生息穴としての木の穴
１５　　　　　害虫としての林業害虫
【図１】
2004008124.tif 000003
【図２】
2004008124.tif 000004
【図３】
2004008124.tif 000005
【図４】
2004008124.tif 000006
【図５】
2004008124.tif 000007
【図６】
2004008124.tif 000008
【図７】
2004008124.tif 000009
【図８】
2004008124.tif 000010
【図９】
2004008124.tif 000011